(57)【要約】【課題】  予約された楽曲に対応する正規の歌唱者のみに歌唱を行わせることにより、歌唱の楽しさを十分に味わうことができると共に、無用なトラブルを未然に防止する。【解決手段】  マイク５１から入力された音声データに基づいて利用者毎に声紋データを解析する声紋認識手段２と、解析された声紋データに利用者ＩＤを付与して声紋情報登録部に登録する声紋情報登録手段３と、選曲された楽曲に利用者ＩＤを付帯させて予約待ち行列に登録する利用者ＩＤ付帯選曲登録手段４と、歌唱者の声紋データに基づいて利用者ＩＤを特定する利用者ＩＤ特定手段５と、特定された利用者ＩＤと当該楽曲に付帯された利用者ＩＤとを対比して両者の一致を判断する利用者ＩＤ対比手段６と、判断結果に応じて当該楽曲の演奏の継続あるいは中止処理を行う対比判断対応手段７と、を備える。【選択図】  図１
2008176081.tif 000002
【特許請求の範囲】
【請求項１】
カラオケ装置に組み込まれてなり、声紋認識手段と、声紋情報登録手段と、利用者ＩＤ付帯選曲登録手段と、利用者ＩＤ特定手段と、利用者ＩＤ対比手段と、対比判断対応手段と、を備えた選曲者歌唱確認システムであって、
前記声紋認識手段は、マイクから入力された音声データに基づいて利用者毎に声紋データを解析し、
前記声紋情報登録手段は、利用者毎に解析された声紋データに利用者ＩＤを付与して声紋情報登録部に登録し、
前記利用者ＩＤ付帯選曲登録手段は、選曲された楽曲に利用者ＩＤを付帯させて予約待ち行列に登録し、
前記利用者ＩＤ特定手段は、任意の楽曲が歌唱された際に、前記解析された声紋データに基づいて利用者ＩＤを特定し、
前記利用者ＩＤ対比手段は、前記特定された利用者ＩＤと当該楽曲に付帯された利用者ＩＤとを対比して両者の一致を判断し、
前記対比判断対応手段は、前記利用者ＩＤ対比手段における判断結果に応じて、利用者ＩＤが一致した場合に当該楽曲の演奏を継続させる処理を行う一方、利用者ＩＤが一致しない場合に当該楽曲の演奏を妨げる処理を行う、
ことを特徴とする選曲者歌唱確認システム。
【請求項２】
前記声紋情報登録部は、複数のカラオケ装置にネットワーク接続されたサーバー内に設置されていることを特徴とする請求項１に記載の選曲者歌唱確認システム。
【請求項３】
前記対比判断対応手段における演奏を妨げる処理は、当該楽曲の演奏中に表示手段を用いて警告表示を行う処理、当該楽曲の演奏を中止する処理、及び演奏の中止後に当該楽曲の再演奏を開始する処理のうちの少なくとも１つの処理を行う、
ことを特徴とする請求項１又は２に記載の選曲者歌唱確認システム。
【発明の詳細な説明】
【技術分野】
【０００１】
本発明は、選曲者歌唱確認システムに関するものであり、特に声紋認識により歌唱者を特定することにより、予約された楽曲に対応する正規の歌唱者のみが歌唱を行うことができるようにした選曲者歌唱確認システムに関するものである。
【背景技術】
【０００２】
現在普及しているカラオケ装置では、各利用者に利用者ＩＤを付与し、この利用者ＩＤを用いて歌唱者と予約された楽曲とを対応させるサービスが行われている（特許文献１参照）。すなわち、利用者に利用者ＩＤカードを貸与し、この利用者ＩＤカードに記憶された利用者ＩＤを読み込んだり、カラオケ端末に設けられたテンキー等の入力手段から利用者ＩＤ及びパスワードを入力したりすることにより、利用者を特定する。そして、利用者が選曲を行う際に、楽曲ＩＤに利用者ＩＤを付帯させることで、誰がどの楽曲を予約したかが分かるようになっている。
【０００３】
具体的には、利用者がカラオケシステムにログインして利用者ＩＤが特定されると、リモコン装置の表示画面に当該利用者専用のボタンやアイコンが表示される。そして、このボタンやアイコンを用いて利用者ＩＤを特定して選曲を行うと、演奏順序を表す予約待ち行列に、予約した楽曲ＩＤと共に利用者ＩＤが記録される。このように、楽曲ＩＤと利用者ＩＤとを紐付けして管理しているため、任意の楽曲が演奏された際に、当該楽曲を誰が歌うのかを特定することができ、利用者の利便性を高めることができるサービスとして活用されている。
【０００４】
【特許文献１】特開２００６−３３７４０４号公報
【発明の開示】
【発明が解決しようとする課題】
【０００５】
ところで、カラオケ装置が設置されたカラオケボックスやスナック等では、多数の者が入り乱れて混沌とした状況の中で楽曲の演奏が行われるのが一般的である。このような状況では、誰が選曲した楽曲であるかの判断が容易ではなく、特に、飲酒等で判断能力が鈍っている場合には、意図せずに他人が選曲した楽曲を歌唱してしまうおそれがある。
【０００６】
また、近年のカラオケ装置は、歌唱採点機能や、録音を伴うオーディション機能、段位認定機能、ＣＤ記録機能等の付加サービス機能を有するものがあり、このような付加サービス機能を利用する場合には、選曲者と歌唱者とが一致している必要がある。
【０００７】
そして、楽曲を歌唱すべき利用者以外の者が歌唱を行ってしまった場合には、本来の利用者が不快感を味わったり、付加サービス機能に対する対価の支払いでトラブルが生じたりする可能性がある。
【０００８】
本発明は、上述した事情に鑑み提案されたもので、予約された楽曲に対応する正規の歌唱者のみが歌唱できるようにして、歌唱の楽しさを十分に味わうことができると共に、無用のトラブルを未然に防止することが可能な選曲者歌唱確認システムを提供することを目的とする。
【課題を解決するための手段】
【０００９】
本発明の選曲者歌唱確認システムは、上述した事情に鑑み提案されたもので、以下の特徴点を備えている。
すなわち、本発明の選曲者歌唱確認システムは、カラオケ装置に組み込まれたシステムであり、声紋認識手段と、声紋情報登録手段と、利用者ＩＤ付帯選曲登録手段と、利用者ＩＤ特定手段と、利用者ＩＤ対比手段と、対比判断対応手段と、を備えたことを特徴とする。
【００１０】
声紋認識手段は、マイクから入力された音声データに基づいて利用者毎に声紋データを解析するための手段である。声紋情報登録手段は、利用者毎に解析された声紋データに利用者ＩＤを付与して声紋情報登録部に登録するための手段である。利用者ＩＤ付帯選曲登録手段は、選曲された楽曲に利用者ＩＤを付帯させて予約待ち行列に登録するための手段である。利用者ＩＤ特定手段は、任意の楽曲が歌唱された際に、解析された声紋データに基づいて利用者ＩＤを特定するための手段である。利用者ＩＤ対比手段は、特定された利用者ＩＤと当該楽曲に付帯された利用者ＩＤとを対比して、両者の一致を判断するための手段である。対比判断対応手段は、利用者ＩＤ対比手段における判断結果に応じて、利用者ＩＤが一致した場合に当該楽曲の演奏を継続させる処理を行う一方、利用者ＩＤが一致しない場合に当該楽曲の演奏を妨げる処理を行うための手段である。
【００１１】
また、声紋情報登録部は、複数のカラオケ装置にネットワーク接続されたサーバー内に設置することが可能である。
【００１２】
また、対比判断対応手段における演奏を妨げる処理は、当該楽曲の演奏中に表示手段を用いて警告表示を行う処理、当該楽曲の演奏を中止する処理、及び演奏の中止後に当該楽曲の再演奏を開始する処理のうちの少なくとも１つの処理を行うように構成することが可能である。
【００１３】
このような構成からなる選曲者歌唱確認システムでは、声紋認識手段で歌唱者の声紋を解析すると共に、声紋情報登録手段で各歌唱者に対して利用者ＩＤを付与して声紋データを登録し、利用者ＩＤ付帯選曲手段で選曲された楽曲に利用者ＩＤを付帯させて予約待ち行列に登録する。任意の楽曲が歌唱されると、利用者ＩＤ特定手段で利用者ＩＤを特定し、利用者ＩＤ対比手段で利用者ＩＤの一致を判断する。
【００１４】
そして、対比判断対応手段で、利用者ＩＤが一致した場合に当該楽曲の演奏を継続させる処理を行う一方、利用者ＩＤが一致しない場合に当該楽曲の演奏を妨げる処理を行うことにより、予約された楽曲に対応する正規の歌唱者のみが歌唱を行うことができる。
【発明の効果】
【００１５】
本発明の選曲者歌唱確認システムによれば、歌唱者の声紋データに基づいて歌唱者を特定し、各歌唱者の声紋データと利用者ＩＤとを紐付けすると共に、楽曲を選択する際に、楽曲ＩＤに対して利用者ＩＤを付帯させる。そして、任意の楽曲が演奏されて歌唱が開始されると、当該歌唱者の声紋データと当該楽曲ＩＤに紐付けされた声紋データとを比較して、両者が一致した場合にのみ演奏を継続して歌唱を行わせるようになっている。
【００１６】
したがって、予約された楽曲に対応する正規の歌唱者のみが当該楽曲に合わせて歌唱を行うことができるので、歌唱の楽しさを十分に味わうことができると共に、無用なトラブルを未然に防止することが可能となる。
【発明を実施するための最良の形態】
【００１７】
以下、図面を参照して、本発明の選曲者歌唱確認システムの実施形態を説明する。図１は、本発明の実施形態に係る選曲者歌唱確認システムの構成を示すブロック図である。なお、図１中、矢印付き二点鎖線及び矢印付き破線は、声紋情報登録を行う場合の各手段等の関係を示すものであり、矢印付き実線は、声紋データを用いて選曲者歌唱確認を行う場合の各手段等の関係を示すものである。
【００１８】
＜システムの概要＞
本発明の実施形態に係る選曲者歌唱確認システム１は、図１に示すように、カラオケ装置に組み込まれたシステムであり、声紋認識手段２、声紋情報登録手段３、利用者ＩＤ付帯選曲登録手段４、利用者ＩＤ特定手段５、利用者ＩＤ対比手段６、及び対比判断対応手段７を備えている。
また、対比判断対応手段７は、後に詳述する映像出力手段５３及び音楽曲出力手段５４に接続されている。
【００１９】
上述した各手段は、ＣＰＵ、ＲＯＭ、ＲＡＭ等の機能を備えたコンピュータシステム等により構成されるものであり、ＲＯＭ等に記憶されたアプリケーションプログラムに従ってＣＰＵ等が動作することにより各手段としての機能が発揮されるようになっている。
【００２０】
＜声紋認識手段＞
声紋認識手段２は、マイク５１から入力された音声データに基づいて利用者毎に声紋データを解析するための手段である。具体的には、マイク５１から入力された音声データは、Ａ／Ｄコンバータ５２でＡ／Ｄ変換され、声紋認識手段２で声紋が解析される。
【００２１】
ところで、人間の声は様々な周波数からなる音声を含んでいる。そして、音声の時間的推移、音声の周波数、音声の強度をグラフ化したものが声紋と称されており、声紋は個々人によりそれぞれ異なっている。近年、個人を特定するためのバイオメトリクス技術が急速に進歩しており、特に安価かつ容易に個人を特定するために声紋が用いられている。そこで、本発明では、利用者の音声データから声紋を解析して、利用者の特定に用いている。なお、声紋認識を行って個人認証を行うための技術は、例えば特開２００３−２６４８５７号公報に詳しく記載されている。
【００２２】
＜声紋情報登録手段＞
声紋情報登録手段３は、利用者毎に解析された声紋データに利用者ＩＤを付与して声紋情報登録部に登録するための手段である。具体的には、声紋情報登録手段３は、利用者毎の声紋データに対して利用者ＩＤを紐付けし、声紋データ管理テーブルとして声紋情報登録部に格納するための手段であり、ハードディスク記憶装置等の記憶手段が声紋情報登録部として機能する。
【００２３】
ここで、声紋情報登録部は、カラオケ装置毎に設けてもよいし、複数のカラオケ装置にネットワーク接続されたセンターサーバー６９（図５参照）内に設置してもよい。特に、声紋情報登録部をセンターサーバー６９内に設置した場合には、センターサーバー６９にネットワーク接続された複数のカラオケ装置において、利用者の声紋情報を共通して利用することができる。
すなわち、一旦、利用者が自らの声紋情報をセンターサーバー６９内に設置された声紋情報登録部に登録しておけば、カラオケ装置を設置したチェーン店においてカラオケ装置を利用する度に声紋情報を登録し直す必要がないので、利用者の利便性を高めることができる。また、声紋データを一元管理することができるので、記憶装置等の資源を有効活用して、管理コストを低減することができる。
【００２４】
声紋情報登録部に格納されている声紋データ管理テーブルの構成を図２に示す。声紋データ管理テーブルは、図２に示すように、利用者の声紋データと、利用者ＩＤと、その他の利用者属性データとを格納するデータテーブルである。
なお、声紋データ管理テーブルに格納されるデータは、図２に示すものに限定されるものではなく、声紋データの管理に最小限必要なデータのみの構成としてもよいし、さらに他のデータを付加してもよい。
【００２５】
＜利用者ＩＤ付帯選曲登録手段＞
利用者ＩＤ付帯選曲登録手段４は、選曲された楽曲に利用者ＩＤを付帯させて予約待ち行列に登録するための手段である。具体的には、選曲等の操作を行うリモコン装置を用いて楽曲の選択を行う際に、リモコン装置の表示画面に利用者専用のボタンやアイコンが表示される。そして、このボタンやアイコンを用いて利用者ＩＤを特定して選曲を行うと、演奏順序を表す予約待ち行列に、予約した楽曲ＩＤと共に利用者ＩＤが記録される。なお、本実施形態では、ＲＡＭ等の記憶手段に予約待ち行列が格納される。
【００２６】
この際、予め利用者に利用者ＩＤを付与し、この利用者ＩＤを記憶した利用者ＩＤカードを発行することにより、利用者ＩＤの管理を行うことができる。この場合には、カードリーダを用いて利用者ＩＤカードに記憶された利用者ＩＤを読み込んだり、カラオケ端末に設けられたテンキー等の入力手段から利用者ＩＤ及びパスワードを入力したりすることにより、利用者ＩＤを取得する。なお、カードリーダやテンキー等の入力手段が、後に詳述する利用者ＩＤ取得手段として機能する。
また、予め利用者ＩＤカードを発行するのではなく、カラオケ端末を使用する際に、利用者に対して一時的に利用者ＩＤを付与してもよい。この場合には、声紋情報登録手段３で声紋データを登録する際に、自動的に利用者ＩＤが付与される。
【００２７】
予約待ち行列の構成を図３に示す。予約待ち行列は、図３に示すように、楽曲の演奏順に、楽曲ＩＤ、曲名、利用者ＩＤ、選曲者、及び録音の有無等のデータを記憶したものである。そして、予約待ち行列に記憶された順番で楽曲の演奏が行われる。また、録音フラグがセットされている楽曲については録音が行われる。この録音フラグは、オーディション機能、段位認定機能、ＣＤ記録機能等の付加サービス機能を選択した場合にセットされるフラグである。
なお、予約待ち行列の構成は図３に示すものに限定されず、最低限必要なデータのみの構成としたり、他のデータを付加したりすることができる。
【００２８】
＜利用者ＩＤ特定手段＞
利用者ＩＤ特定手段５は、任意の楽曲が歌唱された際に、声紋認識手段２により解析された声紋データに基づいて利用者ＩＤを特定するための手段である。具体的には、任意の楽曲が歌唱されると、声紋認識手段２で当該楽曲を歌唱している歌唱者の声紋データが解析され、この声紋データと声紋情報登録部に登録された声紋データとを照合して利用者ＩＤを特定する。
【００２９】
＜利用者ＩＤ対比手段＞
利用者ＩＤ対比手段６は、特定された利用者ＩＤと当該楽曲に付帯された利用者ＩＤとを対比して、両者の一致を判断するための手段である。具体的には、楽曲の演奏が開始して歌唱が行われると、声紋認識手段２により当該歌唱者の声紋データを解析し、声紋情報登録部に登録された声紋データと照合を行って利用者ＩＤを特定する。また、予約待ち行列を参照して現在演奏されている楽曲の利用者ＩＤを取得する。そして、現在歌唱している歌唱者の利用者ＩＤと、現在演奏されている楽曲の利用者ＩＤとを比較して両者の一致を判断する。
【００３０】
＜対比判断対応手段＞
対比判断対応手段７は、利用者ＩＤ対比手段６における判断結果に応じて、利用者ＩＤが一致した場合に当該楽曲の演奏を継続させる処理を行う一方、利用者ＩＤが一致しない場合に当該楽曲の演奏を妨げる処理を行うための手段である。
演奏を妨げる処理は、当該楽曲の演奏中に表示手段を用いて警告表示を行う処理、当該楽曲の演奏を中止する処理、及び演奏の中止後に当該楽曲の再演奏を開始する処理のうちの少なくとも１つの処理を行う。
【００３１】
＜選曲者歌唱確認の手順＞
次に、図４を参照して、本発明の実施形態に係る選曲者歌唱確認システムにおける選曲者歌唱確認の手順を説明する。図４は、本発明の実施形態に係る選曲者歌唱確認システムにおける選曲者歌唱確認の手順を示すフローチャートである。
【００３２】
本発明の実施形態に係る選曲者歌唱確認システムを用いて選曲者歌唱確認を行うには、図４に示すように、まず、マイクから入力された音声データに基づいて利用者毎に声紋データを解析し（Ｓ１）、解析された声紋データに利用者ＩＤを付与して声紋情報登録部に登録する（Ｓ２）。
【００３３】
ここで、予め利用者に利用者ＩＤが付与されている場合には、改めて利用者ＩＤを付与する必要はない。この場合には、利用者ＩＤが付与されていない利用者についてのみ、利用者ＩＤが付与される。
【００３４】
続いて、利用者による選曲が行われると、選曲された楽曲に利用者ＩＤを付帯させて予約待ち行列に登録する（Ｓ３）。そして、楽曲が演奏されて歌唱が開始されると（Ｓ４）、マイク５１から入力された音声データに基づいて声紋データを解析して利用者ＩＤを特定する（Ｓ５）。なお、現在歌唱している歌唱者の声紋データが声紋情報登録部に登録されていない場合や、利用者ＩＤの特定に失敗した場合には、その旨のエラー表示を行って以降の処理を中断してもよい。
【００３５】
続いて、特定された利用者ＩＤと当該楽曲に付帯された利用者ＩＤとを対比して、両者の一致を判断する（Ｓ６）。ここで、特定された利用者ＩＤと当該楽曲に付帯された利用者ＩＤが一致した場合には、楽曲の演奏を最後まで行い（Ｓ９）、システムの終了指示があるまで（Ｓ１０）、上述した処理（Ｓ３〜Ｓ９）を繰り返して行う。
【００３６】
一方、特定された利用者ＩＤと当該楽曲に付帯された利用者ＩＤが一致しない場合には、表示手段を用いて警告表示を行う（Ｓ７）と共に、当該楽曲の演奏を中止する（Ｓ８）。続いて、ステップ４の処理に戻って当該楽曲の再演奏を開始し（Ｓ４）、システムの終了指示があるまで（Ｓ１０）、上述した処理（Ｓ３〜Ｓ９）を繰り返して行う。
【００３７】
なお、特定された利用者ＩＤと当該楽曲に付帯された利用者ＩＤとが一致しない場合に行う処理は、警告表示処理（Ｓ７）、演奏中止処理（Ｓ８）、及び楽曲の再演奏処理（Ｓ４）のうちのいずれか１つの処理のみであってもよい。
【００３８】
表示手段における警告表示の一例を図６に示す。特定された利用者ＩＤと当該楽曲に付帯された利用者ＩＤとが一致しない場合には、図６に示すように、表示手段の表示画面に警告表示が行われる。これにより、利用者は、選曲者と歌唱者が一致していないことを認識することができる。
【００３９】
＜カラオケ端末の全体構成＞
次に、図５を参照して、本発明の選曲者歌唱確認システムを適用するカラオケ端末の代表的な一例について説明する。図５は、本発明の選曲者歌唱確認システムを適用するカラオケ端末の一例を示すブロック図である。
【００４０】
本発明の選曲者歌唱確認システムを適用するカラオケ端末は、図５に示すように、バス６８を介して相互に接続された制御手段５５、ＲＯＭ５６、ＲＡＭ５７、記憶手段５８、通信手段５９、映像出力手段５３、操作制御手段６０、音楽曲出力手段５４、送受信手段６２、Ａ／Ｄコンバータ５２、利用者ＩＤ取得手段７０、歌唱録音手段７１、声紋認識手段２、声紋情報登録手段３、利用者ＩＤ付帯選曲登録手段４、利用者ＩＤ特定手段５、利用者ＩＤ対比手段６、及び対比判断対応手段７を備えている。
【００４１】
また、映像出力手段５３には表示手段６３が接続されており、音楽曲出力手段５４にはミキシングアンプ６４を介してスピーカ６５が接続されている。また、Ａ／Ｄコンバータ５２には、マイク５１が接続されている。さらに、マイク５１からのアナログ入力は、ミキシングアンプ６４にも入力されるようになっている。
【００４２】
これらの構成要素のうち、声紋認識手段２、声紋情報登録手段３、利用者ＩＤ付帯選曲登録手段４、利用者ＩＤ特定手段５、利用者ＩＤ対比手段６、及び対比判断対応手段７は、上述したように、本発明の選曲者歌唱確認システム１の構成要素となる手段である。
【００４３】
制御手段５５は、選曲者歌唱確認システムを総合的に制御するための手段であり、例えばＣＰＵ及びその周辺機器により構成されており、ＣＰＵ等がＲＯＭ等に記憶されたアプリケーションプログラムに従って動作することにより、制御機能を発揮することができるようになっている。
【００４４】
ＲＯＭ５６は、カラオケ端末を構成する各機器を制御するためのアプリケーションプログラムデータや数値データを記憶するための機器で、例えば半導体メモリ等で構成される。また、ＲＡＭ５７は、アプリケーションプログラムや種々のデータを一時的に読み込む一時記憶領域として機能するための機器で、例えば半導体メモリ等で構成される。本実施形態では、ＲＡＭ５７に、予約待ち行列が格納されている。
【００４５】
記憶手段５８は、例えばハードディスク記憶装置等からなり、多数のカラオケ楽曲について、ＭＩＤＩデータやＭＰ３データからなる伴奏データと、歌詞画像の生成起源となる歌詞描出データとを含むカラオケデータが記憶され、また、背景映像として再生される所定形式の動画データが記憶される。
【００４６】
映像出力手段５３は、選択された楽曲に基づき、制御手段５５から順次転送される選択楽曲に対応する動画データを復号し、また、選択楽曲の歌詞描出データに基づき、伴奏音楽に同期して歌唱すべき箇所が色変わりする歌詞画像を、復号した動画映像にスーパーインポーズ処理して表示手段６３に表示出力するための手段である。
【００４７】
音楽曲出力手段５４は、ＭＩＤＩ音源やＭＰ３デコーダからなり、記憶手段５８に格納されたカラオケデータの中から選択された楽曲の伴奏データを再生する。そして、ミキシングアンプ６４により、再生された伴奏データとマイク５１から入力される歌唱音声とをミキシングし、アンプ機能により増幅してスピーカ６５から出力する。
【００４８】
操作制御手段６０は、リモコン装置６６等からの入力データを制御するための手段である。
送受信手段６２は、リモコン装置６６との間で有線あるいは無線によりデータの授受を行うための手段である。
【００４９】
リモコン装置６６はＧＵＩ機能を有しており、例えば液晶ディスプレイとタッチセンサとを重畳したインタフェイスが搭載されている。カラオケ端末の利用者は、タッチセンサを用いて楽曲の選択やその他のデータ入力を行うことができる。
【００５０】
通信手段５９は、通信ネットワーク６７上に配置されたセンターサーバー６９との間で所定の通信プロトコルに従って通信を行うための手段である。センターサーバー６９は、複数のカラオケ端末にネットワーク接続されており、各カラオケ端末に送信するための楽曲データを格納することを主たる機能とした装置である。本実施形態では、センターサーバー６９を構成するハードディスク記憶装置等からなる記憶手段の一機能として声紋情報登録部が構成されており、この声紋情報登録部に声紋データ登録テーブルが格納されている。なお、各カラオケ端末を構成するＲＡＭ５７等を声紋情報登録部として機能させてもよい。
【００５１】
歌唱採点手段６１は、例えば採点テーブルを備えており、選択された楽曲データに基づいて音楽曲出力手段５４で再生された楽曲の主旋律のピッチ基準条件と、マイク５１より入力され、Ａ／Ｄコンバータ５２により変換された音声データから抽出した歌唱ピッチとを、採点テーブルを参照して比較する。そして、例えば１小節等の区間毎の比較結果を得点化して平均することにより採点結果を得るようになっている。
【００５２】
利用者ＩＤ取得手段７０は、利用者に付与された利用者ＩＤを取得するための手段である。具体的には、利用者に貸与された利用者ＩＤカードに記憶された利用者ＩＤを読み取るカードリーダや、カラオケ端末に設けられたテンキー等が利用者ＩＤ取得手段７０として機能する。
【００５３】
歌唱録音手段７１は、オーディション機能、段位認定機能、ＣＤ記録機能等の付加サービス機能を選択した場合に利用される手段である。具体的には、オーディション機能、段位認定機能、ＣＤ記録機能等の付加サービス機能が選択されると、ミキシングアンプ６４にてミキシングされた、マイク５１より入力される歌唱音声と音楽曲出力手段５４から出力される伴奏音楽との混合音響信号をサンプリングしてデジタル音声データに変換し、ハードディスク記憶装置等からなる記憶手段５８に格納する。音声データの記憶場所は、センターサーバー６９内に設置されたハードディスク記憶装置等であってもよい。
【００５４】
なお、カラオケ端末を構成する機器や手段は上述したものに限定されず、カラオケ端末の設置場所や用途等に応じて、必要な機器や手段のみの構成としたり、適宜他の機器や手段を付加したりすることができる。
【００５５】
また、各手段をそれぞれ別個のものとして構成するのではなく、制御手段５５の機能として構成できる手段であれば、制御手段５５に当該手段の機能を含ませてもよいし、各機能を統合した手段として構成してもよい。
【図面の簡単な説明】
【００５６】
【図１】本発明の実施形態に係る選曲者歌唱確認システムの概略構成を示すブロック図。
【図２】本発明の実施形態に係る選曲者歌唱確認システムで用いる声紋データ管理テーブルの構成を示す説明図。
【図３】本発明の実施形態に係る選曲者歌唱確認システムで用いる予約待ち行列の構成を示す説明図。
【図４】本発明の実施形態に係る選曲者歌唱確認システムにおける選曲者歌唱確認の手順を示すフローチャート。
【図５】本発明の実施形態に係る選曲者歌唱確認システムを適用するカラオケ端末の一例を示すブロック図。
【図６】本発明の実施形態に係る選曲者歌唱確認システムの表示手段における警告表示の一例を示す説明図。
【符号の説明】
【００５７】
１  選曲者歌唱確認システム
２  声紋認識手段
３  声紋情報登録手段
４  利用者ＩＤ付帯選曲登録手段
５  利用者ＩＤ特定手段
６  利用者ＩＤ対比手段
７  対比判断対応手段
５１  マイク
５２  Ａ／Ｄコンバータ
５３  映像出力手段
５４  音楽曲出力手段
５５  制御手段
５６  ＲＯＭ
５７  ＲＡＭ
５８  記憶手段
５９  通信手段
６０  操作制御手段
６１  歌唱採点手段
６２  送受信手段
６３  表示手段
６４  ミキシングアンプ
６５  スピーカ
６６  リモコン装置
６７  通信ネットワーク
６８  バス
６９  センターサーバー
７０  利用者ＩＤ取得手段
７１  歌唱録音手段
【図１】
2008176081.tif 000003
【図２】
2008176081.tif 000004
【図３】
2008176081.tif 000005
【図４】
2008176081.tif 000006
【図５】
2008176081.tif 000007
【図６】
2008176081.tif 000008